【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ディフューザであって、
入口、ハブ及びシュラウドを備え、かつ、
前記ハブに取り付けられた第１部分高さ羽根と、前記第１部分高さ羽根と周方向に離間して配置され、前記シュラウドに取り付けられた第２部分高さ羽根とを、各々、含んでいる複数の羽根群を含む羽根の列と、
を備えるディフューザ。
【請求項２】
請求項１に記載のディフューザにおいて、
前記ディフューザは、周囲を有し、前記複数の羽根群は、前記ディフューザの前記周囲に配置され、前記羽根群の少なくとも一つの周期的セクションを形成する、
ディフューザ。
【請求項３】
請求項２に記載のディフューザであって、
更に、少なくとも一つの非周期的セクションを備え、前記少なくとも一つの非周期的セクションは、前記第１及び第２部分高さ羽根と異なる特徴を有する少なくとも一つの羽根により画定される少なくとも一つの偏向通路を含んでいる、
ディフューザ。
【請求項４】
請求項３に記載のディフューザであって、
前記少なくとも一つの偏向通路を画定する前記少なくとも一つの羽根の前記異なる特徴は、前縁位置、後縁位置、弦長、最大厚さ、高さ、流れ方向形状分布、食違い角、ピッチ、くさび角、傾き、ねじれ及び前縁形状のうちの１つ又は複数を含んでいる、
ディフューザ。
【請求項５】
請求項１に記載のディフューザであって、
前記複数の羽根群は、複数のディフューザ通路であって、各々が、前記ハブと前記シュラウドとの間のスパンワイズ方向に延在し、かつ、隣接する前記第１及び前記第２部分高さ羽根との間の周方向に延在する高さを有する複数のディフューザ通路を画定し、
前記複数のディフューザ通路は、少なくとも一つの偏向通路であって、前記少なくとも一つの偏向通路の前記高さは、他の前記複数のディフューザ通路の高さよりも大きい、少なくとも一つの偏向通路を含む、
ディフューザ。
【請求項６】
請求項１に記載のディフューザであって、
少なくとも２つの前記羽根群は、直接隣接し、前記少なくとも２つの羽根群内の前記第１及び第２部分高さ羽根は、（ａ）直接隣接して配置される前記第１部分高さ羽根の一つ、（ｂ）直接隣接して配置される前記第２部分高さ羽根の一つ、（ｃ）他の前記第１部分高さ羽根の一つが、交互かつ繰り返し配列されるように、配置されている、
ディフューザ。
【請求項７】
ディフューザであって、
入口と、ハブと、
シュラウドと、
複数の第１及び第２部分高さ羽根を含む羽根の列であって、前記第１部分高さ羽根は、各々、前記ハブに取り付けられ、前記第２部分高さ羽根は、各々、前記シュラウドに取り付けられ、前記第１部分高さ羽根は、各々、隣接する前記第２部分高さ羽根から周方向にオフセットされている、羽根の列と、
を備えるディフューザ。
【請求項８】
請求項１乃至７のいずれか一項に記載のディフューザであって、
前記ディフューザは、単一の列ディフューザであって、前記羽根の列は、前記ディフューザ内の唯一の羽根の列である、
ディフューザ。
【請求項９】
請求項１乃至８のいずれか一項に記載のディフューザであって、
前記第１及び第２の部分高さ羽根は、各々、前縁を有し、前記第１及び第２部分高さ羽根の前記前縁は、流れ方向に実質的に整列している、
ディフューザ。
【請求項１０】
請求項１乃至９のいずれか一項に記載のディフューザであって、
前記ディフューザは、遠心圧縮機と動作可能に接続されるように構成されている
ディフューザ。
【請求項１１】
請求項１乃至１０のいずれか一項に記載のディフューザであって、
前記第２部分高さ羽根は、各々、対応する前記第２部分高さ羽根と前記ハブとの間に延在する開放空間を画定する、
ディフューザ。
【請求項１２】
請求項１乃至１１のいずれか一項に記載のディフューザであって、
前記第１部分高さ羽根は、各々、対応する前記第１部分高さ羽根と前記シュラウドとの間に延在する開放空間を画定する、
ディフューザ。
【請求項１３】
請求項１乃至１２のいずれか一項に記載のディフューザであって、
前記第１及び第２部分高さ羽根は、複数のディフューザ通路であって、前記複数のディフューザ通路のうち、他のディフューザ通路の高さよりも大きい高さを有する少なくとも一つの偏向通路を含んでいる複数のディフューザ通路を画定する、
ディフューザ。
【請求項１４】
請求項１乃至１３のいずれか一項に記載のディフューザであって、
前記第１及び第２部分高さ羽根は、交互に組み合った配列で、前記ディフューザの周囲に配置されている、
ディフューザ。
【請求項１５】
請求項１乃至１４のいずれか一項に記載のディフューザであって、
前記羽根の列は、少なくとも一つの完全高さ羽根を含んでいる、
ディフューザ。
【請求項１６】
請求項１乃至１５のいずれか一項に記載のディフューザであって、
前記第１部分高さ羽根の高さは、前記第２部分高さ羽根の高さと異なっている、
ディフューザ。
【請求項１７】
請求項１乃至１６のいずれか一項に記載のディフューザであって、
前記第１部分高さ羽根は、前記第２部分高さ羽根と異なる特徴を有する、
ディフューザ。
【請求項１８】
請求項１７に記載のディフューザであって、
前記異なる特徴は、前縁位置、後縁位置、弦長、最大厚さ、高さ、流れ方向形状分布、食違い角、ピッチ、くさび角、傾き、ねじれ及び前縁形状のうちの１つ又は複数を含んでいる、
ディフューザ。
【請求項１９】
請求項１乃至１８のいずれか一項に記載のディフューザであって、
少なくとも一つの前記第１部分高さ羽根又は少なくとも一つの前記第２部分高さ羽根は、前記入口に配置され、前記入口の通路高さの５０％より大きい高さを有する、
ディフューザ。
【請求項２０】
請求項１乃至１８のいずれか一項に記載のディフューザであって、
前記第１部分高さ羽根又は前記第２部分高さ羽根は、前記入口に配置され、前記入口の通路高さの５０％より大きい高さを有する、
ディフューザ。
【請求項２１】
請求項１乃至１８のいずれか一項に記載のディフューザであって、
少なくとも一つの前記第１部分高さ羽根は、前記入口に配置され、前記入口の通路高さの５０％より大きい高さを有する、
ディフューザ。
【請求項２２】
請求項１乃至１８のいずれか一項に記載のディフューザであって、
全ての前記第１部分高さ羽根の高さは、前記入口の通路高さの５０％より大きい、
ディフューザ。
【請求項２３】
請求項１乃至１８のいずれか一項に記載のディフューザであって、
少なくとも一つの前記第１部分高さ羽根又は少なくとも一つの前記第２部分高さ羽根の高さは、前記入口の通路高さの１５％乃至６５％である、
ディフューザ。
【請求項２４】
請求項１乃至１８のいずれか一項に記載のディフューザであって、
少なくとも一つの前記第１部分高さ羽根又は少なくとも一つの前記第２部分高さ羽根の高さは、前記入口の通路高さの５％乃至１５％である、
ディフューザ。
【請求項２５】
請求項１乃至２４のいずれか一項に記載のディフューザであって、
前記ハブは、ハブ表面を含み、前記シュラウドは、シュラウド表面を含み、
前記ディフューザは、更に、前記ハブ表面及び前記シュラウド表面のうちの少なくとも一方に位置する少なくとも一つの細長い流れ方向凹部を有する、
ディフューザ。
【請求項２６】
請求項２５に記載のディフューザであって、前記少なくとも一つの細長い流れ方向凹部は、前記ディフューザの周囲に非周期的な配置を有する複数の細長い凹部を含む、
ディフューザ。